(57)【要約】【課題】光源を構成するＬＥＤ等の発光素子を従来よりも多く配置させることができるとともに発光素子から放射された光の利用範囲の広いものとすることを可能としながら、小型化された光源ユニット及びプロジェクタ装置を提供する。【解決手段】柱状を有するとともに外側面がテーパ状に形成されたミラートンネルと、前記ミラートンネルの側面に発光素子からなる光源と、を備えることを特徴とする光源ユニット。【選択図】図２
2006171207.tif 000002
【特許請求の範囲】
【請求項１】
柱状を有するとともに外側面がテーパ状に形成されたミラートンネルと、
前記ミラートンネルの側面に配置された発光素子からなる光源と、
を備えることを特徴とする光源ユニット。
【請求項２】
前記ミラートンネルの面積が小さい側の端面には反射鏡が備えられていることを特徴とする請求項１に記載の光源ユニット。
【請求項３】
四角錘錐状に形成されたミラートンネルと、
前記ミラートンネルの側面に配置された発光素子からなる光源と、
を備えることを特徴とする光源ユニット。
【請求項４】
前記発光素子は複数であることを特徴とする請求項１から請求項３のいずれか一項に記載の光源ユニット。
【請求項５】
前記複数の発光素子は、赤色ＬＥＤ、青色ＬＥＤ及び緑色ＬＥＤを有することを特徴とする請求項４に記載の光源ユニット。
【請求項６】
前記ミラートンネルの側面には同色のＬＥＤが前記ミラートンネルの長軸方向及び長軸方向と直行する方向には隣接しないように配置されていることを特徴とする請求項５に記載の光源ユニット。
【請求項７】
柱状を有するとともに外側面がテーパ状に形成されたミラートンネル及び前記ミラートンネルの側面に発光素子からなる光源とを備える光源ユニットと、
前記ミラートンネルから出射された光を集光する集光用レンズと、
前記集光用レンズから出射された光を反射する反射鏡と、
前記反射鏡により反射された光を受けて画像を映写するマイクロミラー素子と、
前記マイクロミラー素子から映写された画像を拡大する投影レンズと、
を備えることを特徴とするプロジェクタ装置。
【請求項８】
前記ミラートンネルの面積が小さい側の端面には反射鏡が備えられていることを特徴とする請求項７に記載のプロジェクタ装置。
【請求項９】
四角錘錐状に形成されたミラートンネル及び前記ミラートンネルの側面に配置された発光素子からなる光源とを備える光源ユニットと、
前記ミラートンネルから出射された光を集光する集光用レンズと、
前記集光用レンズから出射された光を反射する反射鏡と、
前記反射鏡により反射された光を受けて画像を映写するマイクロミラー素子と、
前記マイクロミラー素子から映写された画像を拡大する投影レンズと、
を備えることを特徴とするプロジェクタ装置。
【請求項１０】
前記発光素子は複数であることを特徴とする請求項７から請求項９のいずれか一項に記載のプロジェクタ装置。
【請求項１１】
前記複数の発光素子は、赤色ＬＥＤ、青色ＬＥＤ及び緑色ＬＥＤを有することを特徴とする請求項１０に記載のプロジェクタ装置。
【請求項１２】
前記ミラートンネルの側面には同色のＬＥＤが前記ミラートンネルの長軸方向及び長軸方向と直行する方向には隣接しないように配置されていることを特徴とする請求項１１に記載のプロジェクタ装置。
【発明の詳細な説明】
【技術分野】
【０００１】
本発明は光源ユニットとこの光源ユニットを備えるプロジェクタ装置に係り、特に光源としてのＬＥＤを多く備えることを可能にし、ＬＥＤからの出射される光の利用効率を上げて小型化した光源ユニット及びこの光源ユニットを備えるプロジェクタ装置に関する。
【背景技術】
【０００２】
プロジェクタ装置等に用いられる光源ユニットには高圧水銀灯が多く用いられていたが、高圧水銀灯は消費電力が多いとともに光源としての寿命が短い等の問題点があった。そのため、近年においては、消費電力が少なく光源としての寿命が長いとともに、発熱が少ないため周辺機器に悪影響を与えることの少ないＬＥＤ(LIGHT EMITTING DIODE)が光源として用いられるようになってきている。
【０００３】
図７は、従来のＬＥＤを光源として用いる光源ユニットを備えるプロジェクタ装置の一例を表す概略図である。プロジェクタ装置３０に備えられた光源ユニット３１には、透明の長尺の四角柱であるミラートンネル３２とミラートンネル３２の一端に備えられた赤色ＬＥＤ、緑色ＬＥＤ及び青色ＬＥＤからなる光源３３により構成されている。光源３３を構成する各色のＬＥＤはアレイ状に並べられて配置されている（特許文献１参照）。
【０００４】
ミラートンネル３２の光源３３が備えられていない端部の側の光軸Ｋ上には、レンズ３４が備えられている。
【０００５】
レンズ３４の光が出射される方向の光軸Ｋ上には光が照射される面が光軸Ｋに対して所定の角度を持つように反射鏡３５が配置されている。
【０００６】
反射鏡３５により光が反射される方向の光軸Ｋ上にはマイクロミラー素子３６
（Digital Micromirror Device＝ＤＭＤ）が配置されている。マイクロミラー素子３６により反射される光の光軸上には投影レンズ３７が配置されている。プロジェクタ装置３０は、マイクロミラー素子３６の色表示に合わせて赤、緑、青の各色のＬＥＤを発光させることで各色の分割表示を行い映像を投影するようになっている。
【特許文献１】特開２００３−２６２７９５号公報
【発明の開示】
【発明が解決しようとする課題】
【０００７】
しかし、ミラートンネル３２の端面の面積は狭いため備えることのできるＬＥＤの数には制限があり、またＬＥＤを発光させるとＬＥＤ自体が発熱するのでその熱により他のＬＥＤに悪影響を与えないため、ＬＥＤ間には所定の距離をとる必要があり、更に備えられるＬＥＤの数が制限されるという事情があった。
【０００８】
そのため、ミラートンネル自体が小型の場合には必要な光量が確保できないため、ＬＥＤから必要な光量を確保するためにミラートンネル自体を大きくしてＬＥＤを取り付けられる面積を大きくする必要があった。そのため、ミラートンネルを収納するための光源装置まで大型化してしまうという問題が生じていた。
【０００９】
また、図８に示すようにミラートンネル３２のように断面が方形の四角柱では、光源３３から出射された光の一部Ｍ及びＮはミラートンネル３２内の側面に衝突と反射を繰り返してレンズ３４の方向に案内されて出射される。その際、出射する端面が狭いため、ミラートンネル３２の側面と外気層との界面に対して比較的大きい角度で出射されることとなるため光源から放射された光の利用範囲が狭かった。
【００１０】
本発明の課題は、発光素子を従来よりも多く配置させることができるとともに発光素子ら放射された光の利用範囲の広いものとすることを可能としながら、小型化された光源ユニット及びプロジェクタ装置を提供する。
【課題を解決するための手段】
【００１１】
上記課題を解決するため、請求項１に記載の光源ユニットは、柱状を有するとともに外側面がテーパ状に形成されたミラートンネルと、前記ミラートンネルの側面に配置された発光素子からなる光源と、を備えることを特徴とする。
【００１２】
請求項１に記載の発明によれば、発光素子をミラートンネルの側面に配置することとしたため、従来と比較して多くの発光素子を備えることができる。
【００１３】
また、請求項１に記載の発明によればミラートンネルは一方の端面から他方の端面に向かって断面積が広がっていくようにテーパ状に形成されているため、利用できる光量の割合を多くすることができる。
【００１４】
請求項２に記載の請求項１に記載の光源ユニットにおいて、前記ミラートンネルの面積が小さい側の端面には反射鏡が備えられていることを特徴とする。
【００１５】
請求項２に記載の発明によれば、面積が小さい側の端面に反射鏡が備えられているため面積が小さい側の面から発光素子から出射された光が漏出することを防ぐことができる。
【００１６】
請求項３に記載の光源ユニットは、四角錘錐状に形成されたミラートンネルと、前記ミラートンネルの側面に配置された発光素子からなる光源と、を備えることを特徴とする。
【００１７】
請求項３に記載の発明によれば、ミラートンネルは四角錘状に形成されているため、利用できる光量の割合を多くすることができる。
【００１８】
請求項４に記載の発明は、請求項１から請求項３のいずれか一項に記載の光源ユニットにおいて、前記発光素子は複数であることを特徴とする。
【００１９】
請求項４に記載の発明によれば、複数の固体素子を取り付けることでより多くの光量を得ることができる。
【００２０】
請求項５に記載の発明は、請求項４に記載の光源ユニットにおいて、前記複数の発光素子は、赤色ＬＥＤ、青色ＬＥＤ及び緑色ＬＥＤが含まれていることを特徴とする。
【００２１】
請求項５に記載の発明によれば、光源に赤色ＬＥＤ、青色ＬＥＤ及び緑色ＬＥＤを用いることで必要な光量を得ることができる。
【００２２】
請求項６に記載の発明は、請求項５に記載の光源ユニットにおいて、前記ミラートンネルの側面には同色のＬＥＤが前記ミラートンネルの長軸方向及び長軸方向と直行する方向には隣接しないように配置されていることを特徴とする。
【００２３】
請求項６に記載の発明によれば、同色の色を発光するＬＥＤが連続しないように備えることで白色光を発した際に生じるマイクロミラー素子の投影光の色むらを軽減することができる。
【００２４】
請求項７に記載のプロジェクタ装置は、柱状を有するとともに外側面がテーパ状に形成されたミラートンネル及び前記ミラートンネルの側面に発光素子からなる光源とを備える光源ユニットと、前記ミラートンネルから出射された光を集光する集光用レンズと、前記集光用レンズから出射された光を反射する反射鏡と、前記反射鏡により反射された光を受けて画像を映写するマイクロミラー素子と、前記マイクロミラー素子から映写された画像を拡大する投影レンズと、を備えることを特徴とする。
【００２５】
請求項７に記載の発明によれば、従来のプロジェクタ装置と比較して多くの発光素子を配置することが可能となったとともに光を効率よく利用することができる。
【００２６】
また、請求項７に記載の発明によれば、反射鏡により光の漏出を防ぐことができるとともに、白色光を発した際に生じるマイクロミラー素子の投影光の色むらの発生を軽減することができる。
【００２７】
請求項８に記載の発明は、請求項７に記載のプロジェクタ装置において、前記ミラートンネルの面積が小さい側の端面には反射鏡が備えられていることを特徴とする。
【００２８】
請求項８に記載の発明によれば、面積が小さい側の端面に反射鏡が備えられているため面積が小さい側の端面より発光素子から出射された光が漏出することを防ぐことができる。
【００２９】
請求項９に記載のプロジェクタ装置は、四角錘錐状に形成されたミラートンネル及び前記ミラートンネルの側面に配置された発光素子からなる光源とを備える光源ユニットと、前記ミラートンネルから出射された光を集光する集光用レンズと、前記集光用レンズから出射された光を反射する反射鏡と、前記反射鏡により反射された光を受けて画像を映写するマイクロミラー素子と、前記マイクロミラー素子から映写された画像を拡大する投影レンズと、を備えることを特徴とする。
【００３０】
請求項９に記載の発明によれば、請求項７に記載の発明と同様に従来のプロジェクタ装置と比較して多くの発光素子を配置することができるとともに光を効率よく利用することができる。
【００３１】
請求項１０に記載の発明は、請求項７から請求項９のいずれか一項に記載のプロジェクタ装置において、前記発光素子は複数であることを特徴とする。
【００３２】
請求項１１に記載の発明は、請求項１０に記載のプロジェクタ装置において、前記複数の発光素子は、赤色ＬＥＤ、青色ＬＥＤ及び緑色ＬＥＤを有することを特徴とする。
【００３３】
請求項１１に記載の発明によれば、光源に赤色ＬＥＤ、青色ＬＥＤ及び緑色ＬＥＤを用いることで必要な光量を得られることができる。
【００３４】
請求項１２に記載の発明は、請求項１１に記載のプロジェクタ装置において、前記ミラートンネルの側面には同色のＬＥＤが前記ミラートンネルの長軸方向及び長軸方向と直行する方向に隣接しないように配置されていることを特徴とする。
【００３５】
請求項１２に記載の発明によれば、同色の色を発光するＬＥＤが連続しないように配置することで白色光を発した際に生じるマイクロミラー素子の投影光の色むらを軽減することができる。
【発明の効果】
【００３６】
請求項１に記載の発明によれば、発光素子をミラートンネルの側面に取り付けることとしたため、ミラートンネル自体を大きくしなくても必要な光量を確保することが可能となる。
【００３７】
また、請求項１に記載の発明によれば、ミラートンネルの形状を一方の端面から他方の端面に向かって断面積が広がっていくようにテーパ状に形成することで、ミラートンネルの出射面から出射される光のうち利用できる光量の割合を多くすることができるため、十分な光量を得られる光源ユニットを提供することができる。
【００３８】
請求項２に記載の発明によれば、ミラートンネルの面積が小さい側の端面に反射鏡を備えることで発光素子から発せられた光を効率よく用いることができる。
【００３９】
請求項３に記載の発明によれば、ミラートンネルの形状を四角錘状に形成することで、請求項１に記載の発明と同様にミラートンネルの出射面から出射される光のうち利用できる光量の割合多くすることができるため、十分な光量を得られる光源ユニットを提供することができる。
【００４０】
請求項４に記載の発明によれば、複数の発光素子を配置することで多くの光量を得ることができるため、さらに十分な光量を得られる光源ユニットを提供することができる。
【００４１】
請求項５に記載の発明によれば、光源に赤色ＬＥＤ、青色ＬＥＤ及び緑色ＬＥＤを有することで十分な光量を得られる光源ユニットを提供することができる。
【００４２】
請求項６に記載の発明によれば、白色光をマイクロミラー素子に照射したときにマイクロミラー素子からの投影光の色むらを軽減できるため、鮮明な映像を得ることができる。
【００４３】
請求項７に記載の発明によれば、発光素子をミラートンネルの側面に取り付けることとしたため、ミラートンネル自体を大きくしなくても必要な光量を確保することが可能なプロジェクタ装置を提供することができる。
【００４４】
また、請求項７に記載の発明によれば、ミラートンネルを小型化できるため、従来と比較して小型のプロジェクタ装置を提供することができる。
【００４５】
請求項８に記載の発明によれば、ミラートンネルの面積が小さい側の端面に反射鏡を備えることで発光素子から発せられた光を効率よく用いることができる。
【００４６】
請求項９に記載の発明によれば、請求項７に記載した発明と同様の効果を得ることができる。
【００４７】
請求項１０に記載の発明によれば、複数の発光素子を配置することで多くの光量を得ることができるため、さらに十分な光量を得られる光源ユニットを備えたプロジェクタ装置を提供することができる
【００４８】
請求項１１に記載の発明によれば、光源に赤色ＬＥＤ、青色ＬＥＤ及び緑色ＬＥＤを有することで十分な光量を得られる光源ユニットを備えたプロジェクタ装置を提供することができる。
【００４９】
請求項１２に記載の発明によれば、白色光を発した際に生じるマイクロミラー素子の投影光の色むらを軽減できるため、鮮明な映像を得ることができるプロジェクタ装置を提供することができる。
【発明を実施するための最良の形態】
【００５０】
[第一の実施形態]
【００５１】
次に本発明の第一の実施形態について図面を参照して説明する。ただし、発明の範囲は図示例に限定されない。
【００５２】
図１はプロジェクタ装置１の上面断面図である。プロジェクタ装置１にはケース２が備えられており、プロジェクタ装置１の内部にはプロジェクタ装置１全体を制御する電源が取り付けられた電源基板３が備えられている。また、プロジェクタ装置１の中央部付近には光源であるＬＥＤの取り付けられたミラートンネル５が配置されており、ミラートンネル５には反射鏡６が取り付けられている。ミラートンネル５から出射される光の進行方向にはレンズ７が配置されている。レンズ７から出射された光の進行方向には、後述する反射鏡１３、マイクロミラー素子１４及び投影レンズ１５が収納された映像ユニット９が配置されている。
【００５３】
また、プロジェクタ装置１にはミラートンネル５に取り付けられたＬＥＤを冷却するためにＬＥＤに冷却風を吹き付けるための冷却ファンであるシロッコファン１０が配置されている。ミラートンネル５に取り付けられた反射鏡６の背面方向にはミラートンネル５の周辺に気流を発生させる軸流ファン１１が備えられている。
【００５４】
図２はプロジェクタ装置１内の概略構成図である。プロジェクタ装置１には、光源ユニット４が備えられている。光源ユニット４はミラートンネル５、ミラートンネル５の一方の端面に備えられた反射鏡６及びミラートンネルに取り付けられた光源１２により構成されている。
【００５５】
ミラートンネル５は光源１２から放射された光を案内するためのものであり、ミラートンネル５は透明な材質で構成されている。ミラートンネル５は柱状を有し、外側面がテーパ状に形成されており、面積の狭い方の端面にはその反射面がミラートンネル５の端面に接するように反射鏡６が備えられている。
【００５６】
ミラートンネル５の反射鏡６が備えられていない端部の側の光軸Ｋ上には、レンズ７が備えられ、ミラートンネル５から出射された光束を拡大するようになっている。
【００５７】
レンズ７の光が出射される方向には、映像ユニット９が配置されており、レンズ７から出射された光の光軸Ｋ上には映像ユニット９を構成する反射鏡１３が光が照射される面が光軸Ｋに対して所定の角度を持つように配置されている。
【００５８】
反射鏡１３により光が反射される方向の光軸Ｋ上にはマイクロミラー素子１４が配置されている。マイクロミラー素子１４により反射される光の光軸上には投影レンズ１５が配置されている。
【００５９】
光源１２は、発光素子により構成されており、発光素子は光源ユニット及びプロジェクタ装置において必要とされる光量を提供できるものであればその種類に限定はない。発光素子としては、例えばＬＥＤが挙げられる。以下においては、光源としてＬＥＤを用いた場合について説明する。
【００６０】
図３に示すようにミラートンネル５の側面には光源１２が配置されており、光源１２は赤色ＬＥＤ１６、緑色ＬＥＤ１７及び青色ＬＥＤ１８がミラートンネル５の長軸Ｌに沿うように、かつ長軸Ｌと直行する方向に同色のＬＥＤが隣接しないように配置されている。各ＬＥＤは隣接するＬＥＤが発光した時に生ずる熱により悪影響を受けない距離をあけて配置されている。
【００６１】
ＬＥＤは、ミラートンネル５の側面に備えられるようになっており、側面の全面積の四分の一以上または二分の一以上の面積に所定の間隔をあけて配置されているのが好ましく、特に好ましくは側面の全面に所定の間隔を空けて配置されることが好ましい。
【００６２】
なお、図２において光源１２はミラートンネル５の側面の一面にのみ取り付けられているが、光源１２のミラートンネル５への取り付けは一つの側面への取り付けのみに限定されるものではなく、複数の側面に取り付けることとしてもよい。
【００６３】
光源１２を構成する各ＬＥＤは、マイクロミラー素子１４の画像表示タイミングと同期している。マイクロミラー素子１４は、赤色ＬＥＤが点灯しているときは赤色の画像を表示し、緑色ＬＥＤや青色ＬＥＤが点灯しているときは、それぞれの色に対応した画像を表示するようになっている。
【００６４】
光源１２を構成する各ＬＥＤは、表示画像に明るさが必要な場合には赤色ＬＥＤ、緑色ＬＥＤ及び青色ＬＥＤがそれぞれ別個に点灯することに加え、全てのＬＥＤが同時に点灯して白色光をつくりだし、マイクロミラー素子１４はそれに対応した画像を表示する動作を行うようになっている。
【００６５】
レンズ７は、ミラートンネル５から出射された光を反射鏡１３に案内するものである。図１及び図２ではレンズ７を単レンズとして図示しているが、複数枚のレンズからなることとしてもよい。
【００６６】
反射鏡１３は、レンズ７により案内され照射された光を反射してマイクロミラー素子１４の方向に案内するものである。
【００６７】
マイクロミラー素子１４は、複数のマイクロミラーによって表示画像の１つ１つの画素を形成し、これらマイクロミラーの傾き方向を切り換えることで画素の明暗を切り換えて画像を映写するものである。
マイクロミラーは、アルミニウム片などの極薄金属片で形成されており、縦横の幅が１０μｍ〜２０μｍとなっている。これらのマイクロミラーは、行方向及び列方向にマトリックス状に配列形成されたＣＭＯＳ等の複数のミラー駆動素子（図示せず）の上にそれぞれ設けられている。
【００６８】
投影レンズ１５は、マイクロミラー素子１４からの反射光を拡大してスクリーン（図示せず）に投射するものである。なお、図２では投影レンズ１５を単レンズとして図示しているが、複数枚のレンズからなることとしても良い。
【００６９】
次に第一の実施形態の作用について説明する。
【００７０】
プロジェクタ装置１を駆動させるとミラートンネル５の側面に備えられた光源１２から光が放射される。図４は光源１２から放射された光の光路を明らかにするため光源１２を構成するＬＥＤの内の一つから放射された光の光路を概略を図示したものである。図４に示すように光源１２を構成するＬＥＤから放射された光の一部Ｅは反射鏡６の方向に出射された後にミラートンネル５の側壁に衝突した後に光源１２の備えられている側面の方向に反射される。光の一部Ｅは、このような反射を繰り返してレンズ７の方向に案内される。また、光源１２を構成するＬＥＤから放射された光のうち他の一部であるＦは、光源１２の配置された面に対向する面に衝突して反射された後にレンズ７の方向に案内される。
【００７１】
このように、光源１２から放射された光の一部であるＥ及びＦは、断面が方形の四角柱から出射される光に比較して、ミラートンネル５の側面と外気層との界面に対してより小さい角度で出射されることとなる。
【００７２】
ミラートンネル５から出射された光はレンズ７により集光された後に、反射鏡１３に照射される。反射鏡１３に照射された光は反射されてマイクロミラー素子１４の方向に案内される。マイクロミラー素子１４に照射された光は投影レンズ１５により拡大され図示しないスクリーンに投射される。
【００７３】
以上、第一の実施形態にかかる発明によれば、ミラートンネル自体を大きくしなくても必要な光量を確保することができる。
【００７４】
また、ミラートンネル５の形状を一方の端面から他方の端面に向かって断面積が広がっていくようにテーパ状に形成することでミラートンネル５出射面から出射される光のうち利用できる光量の割合多くすることができるため、さらに十分な光量を得られる光源ユニットを提供することができる。
【００７５】
またＬＥＤにより白色光が発せられた場合でも白色光を発した際に生じるマイクロミラー素子の投影光の色むらを軽減できるため、鮮明な映像を得ることができる。
【００７６】
また、ミラートンネル５が一方の端面から他方の端面に向かって断面積が広がって行くようにテーパ状に形成されているため、光の出射面の面積が広くなっているため、ＬＥＤから放射された光の利用範囲を広くすることができる。
[第二の実施形態]
【００７７】
次に本発明の第二の実施形態について説明する。ただし、本第二の実施形態は前述の第一の実施形態と異なる点のみについて説明を行い、前述の第一の実施形態と同様の構成については説明を省略する。
【００７８】
図５はプロジェクタ装置２０内の概略構成図である。プロジェクタ装置２０には、光源ユニット２１が備えられており、光源ユニット２１は、ミラートンネル２２及びミラートンネル２２に取り付けられた光源１２により構成されている。
【００７９】
ミラートンネル２２は、光源１２から放射された光をレンズ７に案内するためのものであり、ミラートンネル２２は透明な材質で構成されている。ミラートンネル２２は、四角錘状に形成されている。
【００８０】
ミラートンネル２２の側面にはＬＥＤからなる光源１２が配置されており、光源１２は赤色ＬＥＤ１６、緑色ＬＥＤ１７及び青色ＬＥＤ１８がミラートンネル２２の長軸Ｌに沿うように、かつ長軸Ｌと直行する方向に同色のＬＥＤが隣接しないように配置されている。各ＬＥＤは隣接するＬＥＤが発光した時に生ずる熱により悪影響を受けない距離をあけて配置されている。
【００８１】
ＬＥＤは、ミラートンネル２２の側面に備えられるようになっており、側面の全面積の四分の一以上または二分の一以上の面積に所定の間隔をあけて配置されているのが好ましく、特に好ましくは側面の全面に所定の間隔を空けて配置されることが好ましい。
【００８２】
光源１２を構成する各ＬＥＤは、マイクロミラー素子１４の画像表示タイミングと同期している。マイクロミラー素子１４は、赤色ＬＥＤが点灯しているときは赤色の画像を表示し、緑色ＬＥＤや青色ＬＥＤが点灯しているときは、それぞれの色に対応した画像を表示するようになっている。
【００８３】
光源１２を構成する各ＬＥＤは、表示画像に明るさが必要な場合には赤色ＬＥＤ、緑色ＬＥＤ及び青色ＬＥＤがそれぞれ別個に点灯することに加え、全てのＬＥＤが同時に点灯して白色光をつくりだし、マイクロミラー素子１４はそれに対応した画像を表示する動作を行うようになっている。
【００８４】
次に二の実施形態の作用について説明する。
【００８５】
プロジェクタ装置２０を駆動させるとミラートンネル２２の側面に備えられた光源１２から光が放射される。図６は光源１２から放射された光の光路を明らかにするため光源１２を構成するＬＥＤの内の一つから放射された光の光路を概略図示したものである。
【００８６】
図６に示すように光源１２を構成するＬＥＤから放射された光の一部Ｈはレンズ７と反対側の方向に放射された後にミラートンネル２２の側壁に衝突した後に光源１２の取り付けられている側面の方向に反射される。光の一部Ｈはこのような反射を繰り返してレンズ７の方向に案内される。また、光源１２を構成するＬＥＤから放射された光のうち他の一部であるＩは、光源１２の配置された面に対向する面に衝突して反射された後にレンズ７の方向に案内される。
【００８７】
このように、光源１２から放射された光の一部であるＨ及びＩは、第一の実施形態において用いられるミラートンネル５と同様に、断面が方形の四角柱から出射される光に比較して、ミラートンネル２２の側面と外気層との界面に対してより小さい角度で出射されることとなる。
【００８８】
ミラートンネル２２から出射された光はレンズ７により集光された後に、反射鏡１３に照射される。反射鏡１３に照射された光は反射されてマイクロミラー素子１４の方向に案内される。マイクロミラー素子１４に照射された光は投影レンズ１５により拡大され図示しないスクリーンに投射される。
【００８９】
以上、第二の実施形態にかかる発明によれば、第一の実施の形態と同様の効果を得ることができる。
【図面の簡単な説明】
【００９０】
【図１】第一の実施形態に係るプロジェクタ装置の上面断面図である。
【図２】第一の実施形態に係るプロジェクタ装置の概略構成図である。
【図３】第一の実施形態において用いられるミラートンネルの側面に備えられた光源を構成するＬＥＤの模式図である。
【図４】第一の実施の形態において用いられるミラートンネル内における光の光路を示したミラートンネルの概略断面図である。
【図５】第二の実施形態に係るプロジェクタ装置の概略構成図である。
【図６】第二の実施の形態において用いられるミラートンネル内における光の光路を示したミラートンネルの概略断面図である。
【図７】従来のプロジェクタ装置の概略断面図である。
【図８】従来のミラートンネル内における光の光路を示したミラートンネルの概略断面図である。
【符号の説明】
【００９１】
１     プロジェクタ装置
２     ケース
３     電源基板
４     光源ユニット
５     ミラートンネル
６     反射鏡
７     レンズ
９     映像ユニット
１２   光源
１３   反射鏡
１４   マイクロミラー素子
１５   投影レンズ
２０   プロジェクタ装置
２１   光源ユニット
２２   ミラートンネル
【図１】
2006171207.tif 000003
【図２】
2006171207.tif 000004
【図３】
2006171207.tif 000005
【図４】
2006171207.tif 000006
【図５】
2006171207.tif 000007
【図６】
2006171207.tif 000008
【図７】
2006171207.tif 000009
【図８】
2006171207.tif 000010
【手続補正書】
【提出日】平成17年10月3日(2005.10.3)
【手続補正１】
【補正対象書類名】特許請求の範囲
【補正対象項目名】請求項３
【補正方法】変更
【補正の内容】
【請求項３】
四角錘状に形成されたミラートンネルと、
前記ミラートンネルの側面に配置された発光素子からなる光源と、
を備えることを特徴とする光源ユニット。
【手続補正２】
【補正対象書類名】特許請求の範囲
【補正対象項目名】請求項６
【補正方法】変更
【補正の内容】
【請求項６】
前記ミラートンネルの側面には同色のＬＥＤが前記ミラートンネルの長軸方向及び長軸方向と直交する方向には隣接しないように配置されていることを特徴とする請求項５に記載の光源ユニット。
【手続補正３】
【補正対象書類名】特許請求の範囲
【補正対象項目名】請求項９
【補正方法】変更
【補正の内容】
【請求項９】
四角錘状に形成されたミラートンネル及び前記ミラートンネルの側面に配置された発光素子からなる光源とを備える光源ユニットと、
前記ミラートンネルから出射された光を集光する集光用レンズと、
前記集光用レンズから出射された光を反射する反射鏡と、
前記反射鏡により反射された光を受けて画像を映写するマイクロミラー素子と、
前記マイクロミラー素子から映写された画像を拡大する投影レンズと、
を備えることを特徴とするプロジェクタ装置。
【手続補正４】
【補正対象書類名】特許請求の範囲
【補正対象項目名】請求項１２
【補正方法】変更
【補正の内容】
【請求項１２】
前記ミラートンネルの側面には同色のＬＥＤが前記ミラートンネルの長軸方向及び長軸方向と直交する方向には隣接しないように配置されていることを特徴とする請求項１１に記載のプロジェクタ装置。
【手続補正５】
【補正対象書類名】明細書
【補正対象項目名】００１６
【補正方法】変更
【補正の内容】
【００１６】
請求項３に記載の光源ユニットは、四角錘状に形成されたミラートンネルと、前記ミラートンネルの側面に配置された発光素子からなる光源と、を備えることを特徴とする。
【手続補正６】
【補正対象書類名】明細書
【補正対象項目名】００２２
【補正方法】変更
【補正の内容】
【００２２】
請求項６に記載の発明は、請求項５に記載の光源ユニットにおいて、前記ミラートンネルの側面には同色のＬＥＤが前記ミラートンネルの長軸方向及び長軸方向と直交する方向には隣接しないように配置されていることを特徴とする。
【手続補正７】
【補正対象書類名】明細書
【補正対象項目名】００２９
【補正方法】変更
【補正の内容】
【００２９】
請求項９に記載のプロジェクタ装置は、四角錘状に形成されたミラートンネル及び前記ミラートンネルの側面に配置された発光素子からなる光源とを備える光源ユニットと、前記ミラートンネルから出射された光を集光する集光用レンズと、前記集光用レンズから出射された光を反射する反射鏡と、前記反射鏡により反射された光を受けて画像を映写するマイクロミラー素子と、前記マイクロミラー素子から映写された画像を拡大する投影レンズと、を備えることを特徴とする。
【手続補正８】
【補正対象書類名】明細書
【補正対象項目名】００３４
【補正方法】変更
【補正の内容】
【００３４】
請求項１２に記載の発明は、請求項１１に記載のプロジェクタ装置において、前記ミラートンネルの側面には同色のＬＥＤが前記ミラートンネルの長軸方向及び長軸方向と直交する方向に隣接しないように配置されていることを特徴とする。
【手続補正９】
【補正対象書類名】明細書
【補正対象項目名】００６０
【補正方法】変更
【補正の内容】
【００６０】
図３に示すようにミラートンネル５の側面には光源１２が配置されており、光源１２は赤色ＬＥＤ１６、緑色ＬＥＤ１７及び青色ＬＥＤ１８がミラートンネル５の長軸Ｌに沿うように、即ち、長軸Ｌ方向及び長軸Ｌと直交する方向に同色のＬＥＤが隣接しないように配置されている。各ＬＥＤは隣接するＬＥＤが発光した時に生ずる熱により悪影響を受けない距離をあけて配置されている。
【手続補正１０】
【補正対象書類名】明細書
【補正対象項目名】００８０
【補正方法】変更
【補正の内容】
【００８０】
ミラートンネル２２の側面にはＬＥＤからなる光源１２が配置されており、光源１２は赤色ＬＥＤ１６、緑色ＬＥＤ１７及び青色ＬＥＤ１８がミラートンネル２２の長軸Ｌに沿うように、即ち、長軸Ｌ方向及びかつ長軸Ｌと直交する方向に同色のＬＥＤが隣接しないように配置されている。各ＬＥＤは隣接するＬＥＤが発光した時に生ずる熱により悪影響を受けない距離をあけて配置されている。